(57)【要約】【課題】  従来の商品は家具の上部と梁や天井の間が２５ｃｍ以下の場所に設置できる商品がなかった。  マンションなどの梁底の狭い場所にＨ型の商品は、梁の側面よりはみ出して美観が悪い。【解決手段】  家具が前に転倒するのは、家具の底部の前面より家具の重心が前に越えて傾くので、家具は前面に転倒する。  家具を転倒防止するには家具の上部中央より上部後方を押さえつけるほうが約２倍の力で固定できる。【選択図】  図１
2007098066.tif 000002
【特許請求の範囲】
【請求項１】
家具の上部中央を突っ張り器具で固定する場合、前後に揺れを生じやすく、地震等で揺れが強くなると後部の壁や柱に当たり跳ね返りが強く、器具の役目が弱くなり家具が前面に転倒するおそれがある。
家具上部後方壁面に設置し、家具の後方と前方の揺れを抑え、家具転倒止具。
【請求項２】
結露防止等をするために家具裏面と壁面の空間を空けて家具を設置する場合、台座１にアウトリガーをセットし、蝶ネジボルト８で固定する。
アウトリガーは伸縮自在にでき、後方へ揺れを防止し、前面への家具転倒防止具。
【請求項３】
家具上部後方の壁面に設置するため、台座１と上部固定部材７をＬ型にし、設置面に硬質ゴムを設け、家具と壁へのキズ防止と滑り止めをし、後方の揺れを防止し、前面への家具転倒防止具。
【請求項４】
じゅうたん、畳等、床の沈みで器具や突っ張りの役目が弱くなるのでジャッキ部材３と支柱６の間に高圧バネ５を設けた家具転倒防止具。
【請求項５】
家具転倒防止器具を家具上部に設置してジャッキで固定しても、時間が経つにつれ風や車等の建物の小さな揺れでジャッキが緩み、器具の役目を果たさなくなるおそれがあるので、台座１とジャッキ部材３の間に緩み防止用固定部材４を設けている。
【請求項６】
家具上部面と天井や梁下面の間に支柱パイプを合わせてカットしなければならないが、中央に伸縮部材がないため、１０ｃｍ以上の空間を固定できる家具転倒防止具。
【発明の詳細な説明】
【技術分野】
【０００１】  本発明は家具等が地震などの揺れにより、家具が転倒し事故になるおそれが生じるための家具転倒防止具である。
【背景技術】
【０００２】  マンションなどの建物は大梁や小梁があり、家具と梁の空間が狭く、従来の家具転倒防止具には２５ｃｍ以下に対応する物がなかった。（例えば、特許文献１参照。）【０００３】  マンションなどの建物は大梁や小梁があり、梁底が狭く、従来の家具転倒防止具は器具がはみ出し美観を損なう。（例えば、特許文献２参照。）
【特許文献１】  特開平  ８−２５２１３９号  公報
【特許文献２】  特開平  ８−２４２９５４号  公報
【発明の開示】
【発明が解決しようとする課題】
【０００４】  従来の家具転倒防止具はＨ型で中央固定するものが多く、中央を固定しても前後に揺れを生じやすく、地震等で揺れが強くなると壁や柱に当たり跳ね返りが強くなり、家具が転倒するおそれがある。【０００５】  本発明品は、このような問題を解決しようとするものであり、家具上部後方の強力な固定を目的とするものである。
【課題を解決するための手段】
【０００６】  家具が前面に転倒するのは、家具の底部の前面より家具の重心が前に越えて傾くので、家具が前面に転倒する。家具が前面に傾く場合、上部後方面がせり上がる。家具中央を固定（突っ張り部材）するより、上部後方を固定するほうが約２倍の力で固定できる。
本発明は家具の上部後方の壁面に設置するため、下部台座をＬ型立ち上がりにし、上部固定部材をＬ型立ち下がりに設けた。【０００７】  本発明は家具の上部後方と壁面に台座の立ち上がり面を壁面固定し、上部固定部材の立ち下がり面を天井と壁面に固定し、後方への揺れを防止し、前方転倒防止を力強く固定する器具である。【０００８】  壁の結露防止等のため、壁面との間に空間を設けて家具を設置する場合、４ｃｍ以内は家具上部後方壁面に下部台座１の立ち上がり面を密着させ、上部固定部材Ｌ型７立ち下がり面を壁に設置し、後方への揺れを防止し、前面への家具転倒防止をする。【０００９】  壁と家具の空間に薄型の品物を入れ４ｃｍ以上空けて家具を設置する場合、家具の後方への揺れを防止するため、下部台座１の開口１０にアウトリガー２を差し込み（伸縮自在）、後方壁面に密着させ、蝶ネジボルト８で固定し、後方への揺れを防ぎ、前面への転倒防止をする。
【発明の効果】
【００１０】  本発明は、家具の上部面と天井や梁底面の間が少ない１０ｃｍから１５０ｃｍ位まで、伸縮自在用金物がないためストレートで折れ曲がることがなく、強く転倒防止する。【００１１】  本発明は、家具上部後方を固定するよう考案したので、従来の家具転倒防止具より約２倍の力で固定できる。【００１２】  本発明は、家具の上部面と天井や梁底面の間が広いところでも、伸縮自在の金物がないためストレートで美しく、器具が目立ちにくく固定できる。【００１３】  本発明は、家具上部面と天井や梁底面の寸法に合わせて支柱パイプをカットするのが短所であるが、中央にジョイントがないため、パイプが折れ曲がることがなく強く固定できる。【００１４】  家具転倒防止突っ張り器具を設置する場合、天井や梁底面の弱い場所は補強の板を天井や梁底面に敷いて補強したほうが良い。【００１５】  現在の家具は部屋を広く取るため家具が薄型で背が高い家具が多く、固定するのが困難である。そのため家具の上部後方を強く押さえつけるのが望ましく、天井や梁底面の間が狭いところでも使用出来るよう、本発明は伸縮自在をなくしコンパクトにまとめるため、空間に合わせて支柱パイプを切断しなければならないが、ジョイントがないため、空間の広いところでも折れ曲がることなく強く固定できる。
【発明の実施するための最良の形態】
【００１６】本発明の実施の形態を図１〜図６に基づいて説明する。
支柱パイプ６の切断は、ジャッキ３をひくい状態にし（時計回りに回転させる）、筒状（差込み用）の中に床沈み用緩み防止バネ５を設置し、上部固定部材７を設置面に固定し、筒状（穴）上部と下部台座床沈み用緩み防止バネとの寸法より５ｍｍ程度短く切断する。ジャッキ部材３筒部に差し込み、上部固定部材７の筒部に差し込み、ジャッキ３を巻き上げ（反時計回り）固定し、緩み防止固定部材４を時計回りに巻き下げ、台座１とジャッキ３を固定する。（台座１とジャッキ３を回転緩み防止する。）
【００１７】  支柱パイプの寸法カットは家具上部面と設置箇所（天井や梁底面）との間（寸法）より３．５ｃｍ短く切断する。ジャッキ部材３筒部に差し込み、上部固定部材７の筒部に差し込み、ジャッキ部材３を巻き上げ（反時計回り）固定し、緩み防止固定部材４を時計回りに巻き下げ、台座１とジャッキ３を固定する。（台座１とジャッキ３を回転緩み防止する。）
【００１８】  図３のように家具が前面に転倒する場合、家具の上部後方がせり上がる。中央を固定するより、上部後方を固定するほうが約２倍の力で固定できる。
【００１９】  図４のように従来の家具転倒防止具はＨ型が多く、梁底面より器具がはみ出し美観を損なう。
【００２０】  図５のように大梁がある所では、従来の家具転倒防止具は２５ｃｍ以下の商品はなく、家具中央を固定するようになる。
【００２１】  本発明は図６のように１０ｃｍ以上の場所で使用出来るよう考案し、梁底面よりはみ出さないようＬ型に形成している。
【００２２】  台座１はジャッキ部材３をセット用筒状内部にネジ山を形成し、アウトリガー１０の開口を設け、アウトリガー固定、蝶ネジ用仕込みナットを設けている。
後壁面に密着できるよう立ち上がりを形成し、硬質ゴムを設けている。
【００２３】  アウトリガー２は壁面に設置するため硬質ゴム９を設け、伸縮自在の長さに用いている。
【００２４】  ジャッキ部材３は台座１にセット出来るようネジ山を形成し、上部に手で回転（ジャッキ）出来るように六角形に形成し、支柱パイプ６をセット出来るように筒状に形成している。
【００２５】  ジャッキ緩み防止用固定部材４はジャッキネジ山にセット出来るよう、内側にネジ山を形成し、手で回転出来るように外側を六角形の形状に用いている。
【００２６】  緩み防止バネ５は床、じゅうたん、畳の沈みによる緩みを防止するため、ジャッキ３の筒状にセット出来るように形成している。
【００２７】  支柱部材６はジャッキ用部材と上部固定部材７の筒状にセット出来るよう、パイプの大きさ（太さ）を形成している。
【００２８】  上部固定部材７は支柱パイプ６をセット（差し込み）出来るよう、筒状に形成し、壁面に密着出来るようにし、立ち下がりに形成し、硬質ゴムを設けている。
【００２９】  アウトリガー固定蝶ネジ用部材８は手で締めつけられるよう、蝶ネジに形成している。
【００３０】  ９は家具天井壁器具の設置面保護用と滑り止め用硬質ゴムを有している。
【００３１】  １０はアウトリガー差し込み用開口を設けている。
【００３２】  １１はアウトリガー固定蝶ネジボルト用仕込みナットを設けている。
【図面の簡単な説明】
【００３３】
【図１】  実施例の側面図
【図２】  展開図の正面図
【図３】  家具の転倒時の力
【図４】  従来商品の例
【図５】  従来商品の例
【図６】  本発明品
【符号の説明】
【００３４】１    台座
２    アウトリガー
３    ジャッキ部品
４    ジャッキ緩み防止固定部材
５    バネ
６    支柱部材
７    上部固定部材
８    アウトリガー固定蝶ネジ部材
９    ゴム
１０  開口
１１  ナット
【図１】
2007098066.tif 000003
【図２】
2007098066.tif 000004
【図３】
2007098066.tif 000005
【図４】
2007098066.tif 000006
【図５】
2007098066.tif 000007
【図６】
2007098066.tif 000008